(57)【特許請求の範囲】
【請求項１】
螺旋状に延びる第一の谷溝と、
前記第一の谷溝と交差する螺旋状に延びる第二の谷溝と、
それぞれ前記第一および第二の谷溝によって囲まれることにより形成されており、前記第一および第二の谷溝を挟んで互いに離間されて互いに不連続となっているが、右巻きまたは左巻きの一方の巻き方向に螺旋状に延びる共通の１条または多条のねじ山を構成する複数の隆起部と、
各前記隆起部に形成されている第一の立ち上がり面、第二の立ち上がり面、第三の立ち上がり面および第四の立ち上がり面とを有してなり、
前記第一および第二の谷溝は共に前記ねじ山と交差しており、
前記第一の立ち上がり面および前記第二の立ち上がり面は前記第一の谷溝の両側面によって構成されている一方、前記第三の立ち上がり面および前記第四の立ち上がり面は前記第二の谷溝の両側面によって構成されており、
前記４つの立ち上がり面のうちの少なくとも前記第一の立ち上がり面および前記第三の立ち上がり面は斜面とされており、
前記隆起部のうちの前記第一の立ち上がり面と前記第三の立ち上がり面との間の部分は前記ねじ山の進行方向に向けて尖った形状をなしているねじ構造。
【請求項２】
前記第一の谷溝は２以上の条数とされ、
前記第二の谷溝は前記第一の谷溝より少ない条数、かつ前記第一の谷溝のリード角より小さいリード角とされ、
前記隆起部が構成する前記ねじ山は前記第一の谷溝と同じ巻き方向でかつ前記第一の谷溝のリード角より小さいリード角とされている請求項１記載のねじ構造。
【請求項３】
前記第一の谷溝の両側面の角度が不等角とされるとともに前記第二の谷溝の両側面の角度が不等角とされており、これにより前記第一の立ち上がり面および前記第三の立ち上がり面より前記第二の立ち上がり面および前記第四の立ち上がり面の方が谷底側から急峻に立ち上がっている請求項１または２記載のねじ構造。
【請求項４】
前記第一の谷溝と前記第二の谷溝とは巻き方向が異なる請求項１乃至３のいずれか１項に記載のねじ構造。
【請求項５】
前記第一の谷溝と前記第二の谷溝とは巻き方向が同じである請求項１乃至３のいずれか１項に記載のねじ構造。
【請求項６】
請求項１乃至５のいずれか１項に記載のねじ構造を有するねじ部品。
【請求項７】
刃部として１乃至５のいずれか１項に記載のねじ構造を有するねじ切りタップ。
【請求項８】
請求項５に記載のねじ構造を有する打込み鋲。
【請求項９】
螺旋状に延びる第一の谷溝を素材に形成する段階と、
前記第一の谷溝と交差する螺旋状に延びる第二の谷溝を前記素材に形成する段階とを有してなり、
前記第一および第二の谷溝の条数、リード角および側面の角度は、複数の隆起部がそれぞれ前記第一および第二の谷溝によって囲まれることにより前記素材に形成され、これらの複数の隆起部は前記第一および第二の谷溝を挟んで互いに離間されて互いに不連続となっているが、右巻きまたは左巻きの一方の巻き方向に螺旋状に延びる共通の１条または多条のねじ山を構成し、前記第一および第二の谷溝は共に前記ねじ山と交差し、前記第一の谷溝の両側面によって各前記隆起部に第一の立ち上がり面および第二の立ち上がり面が構成される一方、前記第二の谷溝の両側面によって各前記隆起部に第三の立ち上がり面および第四の立ち上がり面が構成され、前記第一の立ち上がり面および前記第三の立ち上がり面が斜面となり、かつ各前記隆起部のうちの前記第一の立ち上がり面と前記第三の立ち上がり面との間の部分が前記ねじ山の進行方向に向けて尖った形状をなすこととなるように選択するねじ構造の製造方法。
【請求項１０】
前記第一の谷溝は２以上の条数とし、
前記第二の谷溝は前記第一の谷溝より少ない条数、かつ前記第一の谷溝のリード角より小さいリード角とし、
前記隆起部が構成する前記ねじ山は前記第一の谷溝と同じ巻き方向でかつ前記第一の谷溝のリード角より小さいリード角とする請求項９記載のねじ構造の製造方法。
【請求項１１】
前記第一の立ち上がり面および前記第三の立ち上がり面より前記第二の立ち上がり面および前記第四の立ち上がり面の方が谷底側から急峻に立ち上がるように、前記第一の谷溝の両側面の角度を不等角とするとともに前記第二の谷溝の両側面の角度を不等角とする請求項９または１０記載のねじ構造の製造方法。
【請求項１２】
前記第一の谷溝に対応する第一の突条を有する第一の転造ダイスと前記第二の谷溝に対応する第二の突条を有する第二の転造ダイスとを用意する段階と、
前記第一の転造ダイスと前記第二の転造ダイスとを相対的に動かし、前記第一の転造ダイスと前記第二の転造ダイスとの間で前記素材を転がし、前記第一の谷溝を前記第一の転造ダイスにより前記素材に転造形成するとともに前記第二の谷溝を前記第二の転造ダイスにより前記素材に転造形成する段階とを有してなる請求項９乃至１１のいずれか１項に記載のねじ構造の製造方法。
【請求項１３】
前記素材を第一の切削工具または砥石に対し相対的に該素材の軸線回りに回転させるとともに、前記素材の軸線方向に相対的に移動させながら前記第一の切削工具または砥石で前記素材を切削または研削して前記第一の谷溝を形成する段階と、
前記素材を第二の切削工具または砥石に対し相対的に該素材の軸線回りに回転させるとともに、前記素材の軸線方向に相対的に移動させながら前記第二の切削工具または砥石で前記素材を切削または研削して前記第二の谷溝を形成する段階とを有してなる請求項９乃至１１のいずれか１項に記載のねじ構造の製造方法。
【請求項１４】
請求項１のねじ構造を製造するための転造ダイスであって、
前記第一の谷溝に対応する第一の突条を有する第一の転造ダイスと、前記第二の谷溝に対応する第二の突条を有する第二の転造ダイスとを有してなり、
前記第一の転造ダイスと前記第二の転造ダイスとを相対的に動かし、前記第一の転造ダイスと前記第二の転造ダイスとの間で素材を転がすことにより、前記第一の谷溝を第一の転造ダイスにより前記素材に転造形成するとともに前記第二の谷溝を前記第二の転造ダイスにより前記素材に転造形成することができるようになっている転造ダイス。
【発明の詳細な説明】
【技術分野】
【０００１】
本発明は、ねじ構造、このようなねじ構造を備えたねじ部品、ねじ切りタップおよび打込み鋲、ねじ構造の製造方法並びにねじ構造を製造するための転造ダイスに関する。
【０００２】
なお、一般に単に「ねじ」と言った場合、部品全体ではなく、ある部品のうちのねじ山とこのねじ山間に形成される谷部とからなる部分のみを意味する場合と、そのような部分を有する部品全体を意味する場合があり、どちらを意味するのかまぎらわしい場合がある。したがって、本願においては、部品全体ではなく、ある部品のうちのねじ山とこのねじ山間に形成される谷部とからなる部分のみを指す場合は、原則として「ねじ構造」と言うものとする（ただし、この原則を厳格に貫くと、一般的な用語の使い方との食い違いが非常に大きくなり、却って非常に違和感のある文章となるので、文脈上、前記部分のみを指すのか部品全体を指すのかが明かであったり、どちらを指すかはっきりしなくても特に不都合が生じる虞がない場合は、前記原則に従わないこともある）。
【０００３】
また、本願において、ねじ構造とは締結のためのもののみならず、ねじ切りタップ等の切削工具の刃部が構成するねじ部や、打ち込み鋲の外周のねじ部等の締結目的以外のものも含むものとする。
【背景技術】
【０００４】
従来のねじ構造においては、基本的にねじ山がその始端から終端まで連続して形成されていたので、相手材との接触面積が大きくなっていた。
【０００５】
このため、例えば、相手材には予め雌ねじが形成されておらず、相手材に自らねじ立てをしながら（すなわち、自ら雌ねじを形成しながら）ねじ込まれるセルフタッピンねじや木ねじにおいては、必要とされる挿入トルクが非常に大きくなっていた。
【０００６】
そこで、従来より、例えば特許文献１に示されているように、軸部の横断面を非円形にしてねじ山に出っ張った部分が生ずるようにしたり、軸部の横断面は円形に保持したまま、ねじ山に出っ張った部分を設けることにより、ねじ山と相手材との接触面積を減少させて、挿入トルクを小さくしようとする対策も行われていた。
【０００７】
他方、従来よりねじ部品（ＪＩＳに定義されている用語であって、その一部にねじを持った部品を意味する）においては、緩みを生じ易いという大きな問題があった。これ故、緩み止めを図るために、ねじ山の形状を工夫したり、ねじ山に隆起部を設ける等の試みが種々なされている。
【先行技術文献】
【特許文献】
【０００８】
【特許文献１】特公昭３９−２２６３７号公報
【発明の概要】
【発明が解決しようとする課題】
【０００９】
前述のように挿入トルクを小さくするためにねじ山に出っ張った部分を設けた従来のセルフタッピンねじ等においては、それでもなお、ねじ山自体は連続しているので、挿入トルクを十分小さくすることができないという問題があった。
【００１０】
また、ねじ部品を転造加工により製造する場合は、対角距離が常に同じでないと転造ダイス間で素材を転がすことができない関係上、出っ張った部分を１回転につき２箇所以上の整数箇所設ける必要があるので、相手材に対する接触面積を小さくし、挿入トルクを減少させる効果が一層小さくなるという問題もあった。
【００１１】
また、前記従来の、ねじ山の形状を工夫したり、ねじ山に隆起部を設けることにより緩み止めを図ったねじ部品においても、それでもなお、ねじ山自体は連続しているので、十分な緩み止め効果は得られないという問題があった。
【００１２】
また、従来は、ねじ切りタップ（素材に雌ねじを加工する工具）においても、刃部を構成するねじ山が連続していたので、素材に対する接触面積が大きくなり、雌ねじを加工する際に大きな加工トルクが必要になるという問題があった。
【００１３】
また、従来の打込み鋲においても、連続したねじ山（リード角は通常のねじ部品より非常に大きい）が外周に形成されていたので、相手材に対する接触面積が大きくなり、ハンマー等により相手材に打ち込む際に大きな打ち込み力を必要とする問題があった。
【００１４】
本発明は、このような従来の事情に鑑みてなされたもので、本発明の目的の一つは、相手材に対する接触面積を従来より著しく小さくすることができるねじ構造およびその製造方法を提供することにある。
【００１５】
本発明の他の目的は、ねじ部品に適用した場合、優れた緩み止め効果を得ることができるねじ構造およびその製造方法を提供することにある。
【００１６】
本発明の他の目的は、挿入トルクを従来より著しく減少させることができるねじ部品を提供することにある。
【００１７】
本発明の他の目的は、優れた緩み止め効果を得ることができるねじ部品を提供することにある。
【００１８】
本発明の他の目的は、必要とされる加工トルクを従来より著しく減少させることができることができるねじ切りタップを提供することにある。
【００１９】
本発明の他の目的は、打ち込み力を従来より著しく減少させることができることができる打込み鋲を提供することにある。
【００２０】
本発明の他の目的は、本発明のねじ構造の製造方法に使用できる転造ダイスを提供することにある。
【００２１】
本発明のさらに他の目的は、以下の説明から明らかになろう。
【課題を解決するための手段】
【００２２】
本発明によるねじ構造は、
螺旋状に延びる第一の谷溝と、
前記第一の谷溝と交差する螺旋状に延びる第二の谷溝と、
それぞれ前記第一および第二の谷溝によって囲まれることにより形成されており、前記第一および第二の谷溝を挟んで互いに離間されて互いに不連続となっているが、右巻きまたは左巻きの一方の巻き方向に螺旋状に延びる共通の１条または多条のねじ山を構成する複数の隆起部と、
各前記隆起部に形成されている第一の立ち上がり面、第二の立ち上がり面、第三の立ち上がり面および第四の立ち上がり面とを有してなり、
前記第一および第二の谷溝は共に前記ねじ山と交差しており、
前記第一の立ち上がり面および前記第二の立ち上がり面は前記第一の谷溝の両側面によって構成されている一方、前記第三の立ち上がり面および前記第四の立ち上がり面は前記第二の谷溝の両側面によって構成されており、
前記４つの立ち上がり面のうちの少なくとも前記第一の立ち上がり面および前記第三の立ち上がり面は斜面とされており、
前記隆起部のうちの前記第一の立ち上がり面と前記第三の立ち上がり面との間の部分は前記ねじ山の進行方向に向けて尖った形状をなしているものである。
【００２３】
本発明によるねじ構造においては、複数の隆起部が不連続なねじ山を構成する上、各隆起部のうちの第一の立ち上がり面と第三の立ち上がり面との間の部分がねじ山の進行方向に向けて尖った形状をなしており、各隆起部の第一の立ち上がり面と第四の立ち上がり面との交線部および第三の立ち上がり面と第二の立ち上がり面との交線部において相手材に接触することになるため、相手材に対する接触面積を従来より著しく小さくできる。
【００２４】
したがって、セルフタッピンねじや木ねじに適用した場合は、必要とされる挿入トルクを従来より著しく小さくすることができ、ねじ切りタップに適用した場合は、必要とされる加工トルクを従来より著しく小さくすることができ、打込み鋲に適用した場合は必要とされる打ち込み力を従来より著しく小さくすることができる。
【００２５】
また、セルフタッピンねじや木ねじ等に適用した場合、接触面積が少ない分だけ相手材に食い込む量が大きくなるので、大きな緩み止め効果を得ることができる。
【００２６】
また、第一の谷溝および第二の谷溝の両側面の傾きをそれぞれ不等角とすると、各隆起部の第一の立ち上がり面および第三の立ち上がり面より第二の立ち上がり面および第四の立ち上がり面の方が第一および第二の谷溝の谷底から急峻に立ち上がるようにすることができ、ねじ部品に適用した場合、極めて優れた緩み止め効果を得ることができる。
【００２７】
本発明による  ねじ構造の製造方法は、
螺旋状に延びる第一の谷溝を素材に形成する段階と、
前記第一の谷溝と交差する螺旋状に延びる第二の谷溝を前記素材に形成する段階とを有してなり、
前記第一および第二の谷溝の条数、リード角および側面の角度は、複数の隆起部がそれぞれ前記第一および第二の谷溝によって囲まれることにより前記素材に形成され、これらの複数の隆起部は前記第一および第二の谷溝を挟んで互いに離間されて互いに不連続となっているが、右巻きまたは左巻きの一方の巻き方向に螺旋状に延びる共通の１条または多条のねじ山を構成し、前記第一および第二の谷溝は共に前記ねじ山と交差し、前記第一の谷溝の両側面によって各前記隆起部に第一の立ち上がり面および第二の立ち上がり面が構成される一方、前記第二の谷溝の両側面によって各前記隆起部に第三の立ち上がり面および第四の立ち上がり面が構成され、前記第一の立ち上がり面および前記第三の立ち上がり面が斜面となり、かつ各前記隆起部のうちの前記第一の立ち上がり面と前記第三の立ち上がり面との間の部分が前記ねじ山の進行方向に向けて尖った形状をなすこととなるように選択するものである。
【００２８】
本発明によるねじ構造の製造方法によれば、本発明によるねじ構造を容易に製造することができる。
【００２９】
なお、前記本発明のねじ構造およびその製造方法において、例えば、第一の谷溝は２以上の条数とし、第二の谷溝は第一の谷溝より少ない条数、かつ第一の谷溝のリード角Ｂ1より小さいリード角Ｂ2とし、隆起部が構成するねじ山は第一の谷溝と同じ巻き方向でかつ第一の谷溝のリード角Ｂ1より小さいリード角Ｂ3とすると、ねじ構造を最適に構成できる。
【００３０】
本発明による転造ダイスは、本発明のねじ構造を製造するための転造ダイスであって、
前記第一の谷溝に対応する第一の突条を有する第一の転造ダイスと、前記第二の谷溝に対応する第二の突条を有する第二の転造ダイスとを有してなり、
前記第一の転造ダイスと前記第二の転造ダイスとを相対的に動かし、前記第一の転造ダイスと前記第二の転造ダイスとの間で素材を転がすことにより、前記第一の谷溝を第一の転造ダイスにより前記素材に転造形成するとともに前記第二の谷溝を前記第二の転造ダイスにより前記素材に転造形成することができるようになっているものである。
【００３１】
この転造ダイスによれば、本発明によるねじ構造を転造加工により容易に製造できる。
【発明の効果】
【００３２】
本発明によるねじ構造は、相手材に対する接触面積を従来より著しく小さくすることができ、タッピンねじや木ねじ等に適用した場合は、必要とされる挿入トルクを従来より著しく小さくすることができ、ねじ切りタップに適用した場合は、必要とされる加工トルクを従来より著しく小さくすることができ、打込み鋲に適用した場合は必要とされる打ち込み力を従来より著しく小さくすることができる。
【００３３】
本発明によるねじ構造は、タッピンねじや木ねじ等に適用した場合、相手材に対する食い込み量を大きくし、緩み止め効果を得ることができる。
【００３４】
本発明によるねじ構造は、第一の谷溝および第二の谷溝の両側面の傾きをそれぞれ不等角とすれば、ねじ部品に適用した場合、さらに優れた緩み止め効果を得ることができる。
【００３５】
本発明によるねじ構造の製造方法によれば、本発明によるねじ構造を容易に製造することができる。
【００３６】
本発明による転造ダイスは、本発明によるねじ構造を転造加工により容易に製造できるようにする。
【図面の簡単な説明】
【００３７】
【図１】従来のアヤ目ローレット加工により製造されたアヤ目模様を示す正面図である。
【図２】アヤ目ローレットを粗くして横に伸ばした形状を示す正面図である。
【図３】図２の隆起部を横に傾けると本発明によるねじ構造が得られることを説明する正面図である。
【図４】本発明の実施例１におけるセルフタッピンねじを示す正面図である。
【図５】前記実施例１におけるセルフタッピンねじを示す側面図である。
【図６】図５のＥ方向矢視図である。
【図７】本発明の実施例２における固定転造平ダイスを示す正面図である。
【図８】前記実施例２における移動転造平ダイスを示す正面図である。
【図９】前記実施例２における固定ダイスおよび移動ダイスを示す断面図である。
【図１０】前記実施例２における素材を示す正面図である。
【図１１】前記実施例２において固定ダイスと移動ダイスとの間で素材を転がす様子を示す平面図である。
【図１２】前記実施例２において転造加工が実質的に完了した状態を示す断面図
【図１３】本発明の実施例３において第１条目の第一の谷溝を切削または研削する工程を示す正面図である。
【図１４】前記実施例３において第２条目の第一の谷溝を切削または研削する工程を示す正面図である。
【図１５】前記実施例３において、第２条目の第一の谷溝の切削または研削完了後、第二の谷溝の切削または研削を開始する直前の状態を示す正面図である。
【図１６】前記実施例３において第二の谷溝の切削または研削が完了した状態を示す正面図である。
【図１７】本発明の実施例４における緩み止め機能付き小ねじを示す正面図である。
【図１８】前記実施例４における緩み止め機能付き小ねじを示す側面図である。
【図１９】前記実施例４における緩み止め機能付き小ねじを製造するための固定転造平ダイスおよび移動転造平ダイスを示す断面図である。
【図２０】図１９の一部を拡大して示す拡大断面図である。
【図２１】本発明の実施例５における打込み鋲を示す正面図である。
【図２２】前記実施例５における打込み鋲を製造するための固定転造平ダイスを示す正面図である。
【図２３】前記実施例５における打込み鋲を製造するための移動転造平ダイスを示す正面図である。
【発明を実施するための形態】
【００３８】
本発明によるねじ構造は、アヤ目ローレット加工の原理を応用して、切削加工や転造加工等で作成できる。本発明に対する理解を容易にするため、まず本発明によるねじ構造およびその製造方法の概略を従来のアヤ目ローレット加工を基礎として説明する。
【００３９】
図１は、アヤ目ローレット加工により、製造されたアヤ目模様と呼ばれているものを示しており、切削加工または転造加工により、円柱状の材料１にそれぞれ同じ大きさのリード角を有する右巻き（右ねじれ）の螺旋状の谷溝２と左巻き（左ねじれ）の螺旋状の谷溝３とを形成することにより、大略四角錐状をなす隆起部４が多数並んで形成されている（なお、右巻きの谷溝２と左巻きの谷溝３は、ともに多条であって互いに同じ条数とされている）。このようなアヤ目模様は滑り止め等の目的で使用されるものであり、ねじ構造として使用することは勿論できない。
【００４０】
なお、通常のねじ構造が上記のようなアヤ目模様と大きく異なる点は、通常のねじ構造では、谷溝は右巻きまたは左巻きの一方の巻き方向のみが設けられることである（従来、ねじの当業者は、ねじ山は当然連続すべききものであると頭から思い込んでいたので、互いに交差する谷溝を設けるなどということは思いもよらぬことであったのである）。
【００４１】
図２は、右巻きおよび左巻きの谷溝２，３の条数をそれぞれ減少するとともに両方の谷溝２，３のリード角をそれぞれ小さくすることにより、本来のアヤ目模様の場合より隆起部４の配置を粗くするとともに各隆起部４を横に引き伸ばした状態を示している。なお、矢印ａは第一の谷溝２の螺旋方向、矢印ｂは第二の谷溝４の螺旋方向を示している。この図２の構造も、各隆起部４は円周方向に延びているので、依然としてねじ構造として使用することはできない。
【００４２】
本発明では、さらに右巻きの谷溝２と左巻きの谷溝３の条数および（または）リード角を互いに異なるようにすることにより、図３に示されるように、隆起部４を円周方向に対し傾ける。これにより、複数の隆起部４に不連続なねじ山を構成させ、ねじ構造として機能させることができるようになる。なお、図３では、互いに交差する谷溝２，３が右巻きと左巻きになっているが、本発明においては、同じ巻き方向でリード角が異なる谷溝を互いに交差させてもよい。
【００４３】
以下、本発明を図面に示す実施例に基づいてさらに詳しく説明する。
【実施例１】
【００４４】
図４〜６は、本発明の実施例１におけるセルフタッピンねじ５を示している。このセルフタッピンねじ５は、軸部６とこの軸部６の後端に設けられた頭部７とを有している。なお、矢印Ａはセルフタッピンねじ５の締付方向を示している。
【００４５】
前記軸部６の外周に設けられたねじ構造は、右巻きでリード角Ｂ1で螺旋状に延びる２条の第一の谷溝２（図４の矢印ａは第一の谷溝２の螺旋方向を示している）と、左巻きで前記第一の谷溝２のリード角Ｂ1より小さいリード角Ｂ2で螺旋状に延びる１条の第二の谷溝３（図４の矢印ｂは第二の谷溝３の螺旋方向を示している）と、第一および第二の谷溝２，３によって囲まれることにより形成された複数の大略菱形四角錐条の隆起部４とを有している。
【００４６】
ここで本実施例では、第一の谷溝２のピッチと第二の谷溝３のピッチとは互いに同一とされている（ただし、本発明では、必ずしも両者のピッチを一致させる必要はない）。
【００４７】
前記複数の隆起部４は、第一および第二の谷溝２，３を挟んで互いに離間されて互いに不連続となっているが、第一の谷溝２と同じ右巻きでかつ第一の谷溝２のリード角Ｂ1より小さいリード角Ｂ3で螺旋状に延びる共通のねじ山を構成している（図４の矢印ｃは隆起部４群が構成するねじ山の螺旋方向を示している）。
【００４８】
本実施例においては、隆起部４群が構成するねじ山の条数Ｎ1は１となっている。本実施例のように第一の谷溝２と第二の谷溝３の巻き方向が違う場合、隆起部４群が構成するねじ山のリード角Ｂ3と第一の谷溝２のリード角Ｂ1および第二の谷溝３のリード角Ｂ2との関係は、基本的に、
Ｂ3＝（Ｂ1−Ｂ2）／２                （１）
の関係となる。
【００４９】
なお、図４〜６において、横一列に見たとき、隆起部４は前記ねじ山の２リード毎（すなわち、２回転毎）に表れていることに注意されたい。このことは、参考のために図４に示した相手材８に形成されている雌ねじ９の谷が１個おきに一番上の横の列の隆起部４と嵌合しているかのように見えることに着目されると分かり易いであろう。
【００５０】
図５に示されるように、本実施例では、軸方向に見ると、隆起部４は１２０度間隔で表れており、１回転につき１．５個（２回転につき３個）の隆起部４が形成されている。
【００５１】
図６によく示されるように、各隆起部４は、第一の立ち上がり面１０、第二の立ち上がり面１１、第三の立ち上がり面１２および第四の立ち上がり面１３を有しており、第一の立ち上がり面１０および第二の立ち上がり面１１は第一の谷溝２の両側面によって構成されている一方、第三の立ち上がり面１２および第四の立ち上がり面１３は第二の谷溝３の両側面によって構成されている。本実施例では、４つの立ち上がり面１０〜１３はすべて斜面とされている。
【００５２】
前記第一の立ち上がり面１０と第三の立ち上がり面１２とは互いに交差して交線部（稜線部）９１を形成するとともに前記ねじ山の先頭側に位置し、第二の立ち上がり面１１と第四の立ち上がり面１３とは互いに交差して交線部（稜線部）９２を形成するとともに前記ねじ山の後端側に位置し、第一の立ち上がり面１０と第四の立ち上がり面１３とは互いに交差して交線部（稜線部）９３を形成するとともに前記ねじ山の一方の側部を構成し、第三の立ち上がり面１２と第二の立ち上がり面１１とは互いに交差して交線部（稜線部）９４を形成するとともにねじ山の他方の側部を構成している。
【００５３】
各隆起部４のうちの第一の立ち上がり面１０と前記第三の立ち上がり面１２との間の部分は前記ねじ山の進行方向に向けて尖った形状をなしている。
【００５４】
なお、本実施例では、各隆起部４の第一の立ち上がり面１０と第三の立ち上がり面１２との交線部９１の先端点（図６の点Ｆ）と第二の立ち上がり面１１と第四の立ち上がり面１３との交線部９２の後端点（図６の点Ｇ）とを結ぶ線分は、基本的に言って、隆起部群４がなす前記ねじ山の螺旋方向（図４の矢印ｃの方向）に沿って延びている。
【００５５】
このねじ構造においては、複数の隆起部４が不連続なねじ山を構成する上、各隆起部のうちの第一の立ち上がり面１０と前記第三の立ち上がり面１２との間の部分が前記ねじ山の進行方向に向けて尖った形状をなしており、各隆起部４の第一の立ち上がり面１０と第四の立ち上がり面１３との交線部９３および第三の立ち上がり面１２と第二の立ち上がり面１１との交線部９４において相手材８に接触することになるため、相手材８に対する接触面積を従来より著しく小さくできる。
【００５６】
また、接触面積が少ない分だけ相手材８に食い込む量が大きくなるので、大きな緩み止め効果を得ることができる。
【００５７】
さらに、前述のように、従来は、軸部の横断面を非円形にしてねじ山に出っ張った部分が生ずるようにしたり、軸部の横断面は円形に保持したまま、ねじ山に出っ張った部分を設けることにより、ねじ山と相手材との接触面積を減少させる場合であって、かつねじ部品を転造加工により製造する場合は、出っ張った部分を１回転につき２箇所以上の整数箇所設ける必要があるので、挿入トルクを減少させる効果が一層小さくなるという問題があったが、本実施例では、１回転につき１．５個（２回転につき３個）の隆起部４が得られるので、相手材８に対する接触面積をより大きく減少できる。
【００５８】
ただし、本発明においては、第一および第二の谷溝２，３の条数やピッチを変更することにより、１回転当たりの隆起部４の数は変更でき、必ずしも本実施例のように隆起部４の数を１回転につき１．５個としなくてもよい。
【００５９】
また、本実施例では、第一の谷溝２と第二の谷溝３のピッチを合わせているので、隆起部４が軸方向に整列しているが、本発明においては必ずしも第一の谷溝２と第二の谷溝３のピッチとを合わせる必要はなく、ピッチを合わせなければ、隆起部４は軸方向に整列しなくなり、螺旋状に配置されるようになる。
【００６０】
また、本実施例では、隆起部４群により構成されるねじ山が１条のねじ山とされているが、第一および第二の谷溝２，３の条数やピッチを変更することにより、隆起部４群により構成されるねじ山の条数を変更することができる。
【００６１】
なお、本実施例は、本発明のねじ構造のうちの雄ねじ構造をセルフタッピンねじに適用した例であるが、本発明のねじ構造のうちの雄ねじ構造は木ねじに適用しても挿入トルクを従来より著しく小さくすることができるとともに、大きな緩み止め効果を得ることができる。また、本発明のねじ構造のうちの雄ねじ構造をねじ切りタップの刃部に適用すれば、必要とされる加工トルクを従来より著しく小さくすることができる。
【実施例２】
【００６２】
図７〜１２は、実施例１の図４〜６のようなねじ構造を転造加工により製造する実施例を示している。このうち図７は本実施例における固定転造平ダイス（本実施例における第一の転造ダイスであり、以下固定ダイスと略記する）１４を示す正面図、図８は本実施例における移動転造平ダイス（本実施例における第二の転造ダイスであり、以下移動ダイスと略記する）１５を示す正面図、図９は前記固定ダイス１４および移動ダイス１５を示す断面図である。
【００６３】
図７および８に示されるように、固定ダイス１４のダイス面１４ａには、実施例１の第一の谷溝２に対応する第一の突条１６が設けられており、これらの第一の突条１６間には第一のダイス溝１７が形成されている。なお、図７では、第一の突条１６および第一のダイス溝１７を詳細に図示しようとすると非常に細かい煩雑な図になってしまうので、通例行われているとおり、第一の突条１６および第一のダイス溝１７はそれらの方向性が分かるだけのように簡略化して示している。
【００６４】
図８および９に示されるように、移動ダイス１５のダイス面１５ａには、実施例１の第二の谷溝３に対応する第二の突条１９が設けられており、これらの第二の突条１９間には第二のダイス溝２０が形成されている。なお、図８においても、第二の突条１９および第二のダイス溝２０を詳細に図示しようとすると非常に細かい煩雑な図になってしまうので、通例行われているとおり、第二の突条１９および第二のダイス溝２０はそれらの方向性が分かるだけのように簡略化して示している。
【００６５】
図１０は本実施例における素材２１を示しており、円柱状の軸部６’と、この軸部６’の一端に設けられた頭部７とを有している。
【００６６】
図１１は本実施例において転造加工を行っている状態を示し、固定ダイス１４は固定し、移動ダイス１５を矢印Ｃ方向に動かし、固定ダイス１４と移動ダイス１５との間で素材２１を転がすことにより、第一の谷溝２を固定ダイス１４により素材２１の軸部６’に転造形成するとともに第二の谷溝３を移動ダイス１５により素材２１の軸部６’に転造形成する。通常のねじ転造と大きく異なる点は、固定ダイス１４と移動ダイス１５が違う谷溝２，３をそれぞれ加工していることである（通常のねじ転造においては、固定ダイスおよび移動ダイスが同じ谷溝を加工している）。したがって、通常のねじ転造作業では、固定ダイスと移動ダイスとの位相合わせ（ピッチ合わせ）が必要になるのに対し、本願発明のねじ構造の転造作業では、固定ダイス１４と移動ダイス１５との位相合わせが不要であり、転造作業が容易になる。
【００６７】
図１２は、素材２１が固定ダイス１４および移動ダイス１５の終端付近まで転がり、転造加工が実質的に完了した状態を示しており、実施例１のようなねじ構造を得ることができる。
【００６８】
なお、本実施例のように転造加工により本発明のねじ構造を製造する場合は、各隆起部４の第一の立ち上がり面１０、第二の立ち上がり面１１、第三の立ち上がり面１２および第四の立ち上がり面１３間の交線部９１〜９４がだれてしまい（丸みがついてしまい）、本願の図に示しているように明確に表れなくなり、各隆起部４のうちの第一の立ち上がり面１０と前記第三の立ち上がり面１２との間の部分も鈍く尖った形状となることがあるが、そのような場合でも本発明の作用効果が少なくとも著しく損なわれることはない。したがって、そのように前記交線部９１〜９４がだれているものも本発明の範囲内にあるものである。
【００６９】
また、本実施例では、平ダイスを用いているが、本発明においては丸ダイス等の他の形状のダイスを用いて転造加工を行ってもよい。
【実施例３】
【００７０】
図１３〜１６は、実施例１の図４〜６のようなねじ構造を切削または研削加工により製造する実施例を示している。
【００７１】
まず、図１３に示されるように、素材２１を該素材２１の軸線回りに回転させるとともに矢印Ｄのように軸方向に送って行きながら、回転切削工具である第一の切削工具（または砥石）２２で素材２１を切削（または研削）することにより、実施例１の第一の谷溝２の第１条目を形成して行く。なお、第一の切削工具（または砥石）２２は第一の谷溝２のリード角Ｂ1に対応してその回転軸を傾けられている。
【００７２】
第一の谷溝２の第１条目が完成したら、次に図１４に示されるように、第１条目と同様にして、第一の谷溝２の第２条目を、第一の切削工具（または砥石）２２で素材２１を切削（または研削）して形成して行く。
【００７３】
第一の谷溝２の第２条目が完成したら、次に、第２の谷溝５を切削（または研削）する。図１５は、回転切削工具である第二の切削工具（または砥石）２３で第二の谷溝３の切削（または研削）を行う直前の状態を示している。第二の切削工具（または砥石）２３は第二の谷溝３のリード角Ｂ2に対応してその回転軸を傾けられている。
【００７４】
図１５の状態から素材２１を該素材２１の軸線回りに回転させるとともに矢印Ｄのように軸方向に送って行きながら、第二の切削工具（または砥石）２３で素材２１を切削（または研削）することにより、第二の谷溝３を形成して行く。
【００７５】
図１６は、第二の谷溝３の切削（または研削）が完了した状態を示しており、実施例１のようなねじ構造が完成する。
【実施例４】
【００７６】
図１７および１８は本発明の実施例４における緩み止め機能付き小ねじ２４、図１９および２０はこの緩み止め機能付き小ねじ２４を製造するための固定転造平ダイス（本実施例における第一の転造ダイスであり、以下固定ダイスと略記する）１４および移動転造平ダイス（本実施例における第二の転造ダイスであり、以下移動ダイスと略記する）１５を示している。
【００７７】
固定ダイス１４および移動ダイス１５の構成は、基本的には図７〜１２の実施例２の場合と同様であるが、実施例２では第一および第二の突条１６，１９の両側面の傾きが互いに等しくされていたのに対し、本実施例では、図１９および２０に示されるように、第一および第二の突条１６，１９の両側面の傾きが互いに異なるようにされている。
【００７８】
緩み止め機能付き小ねじ２４は、軸部６とこの軸部６の後端に設けられた頭部７とを有しており、軸部６に前記固定ダイス１４および移動ダイス１５によりねじ構造を転造加工されている。
【００７９】
そして、固定ダイス１４および移動ダイス１５の第一および第二の突条１６，１９の両側面の傾きが互いに異なるようにされているので、第一の谷溝２の両側面の角度が不等角となるとともに第二の谷溝３の両側面の角度も不等角となっている。このため、第一の立ち上がり面１０および第三の立ち上がり面１２より第二の立ち上がり面１１および第四の立ち上がり面１３の方が第一および第二の谷溝２，３の谷底から急峻に立ち上がっている。したがって、本実施例では、極めて優れた緩み止め効果を得ることができる。
【００８０】
なお、本実施例では、第二の立ち上がり面１１および第四の立ち上がり面１３は垂直面に近く急峻に立ち上がっているが、完全な垂直面とはなっておらず、非常に急峻な斜面となっている（したがって、本実施例においても、４つの立ち上がり面１０〜１３は全て斜面となっている）。しかし、第二の立ち上がり面１１および第四の立ち上がり面１３を垂直面となるようにしてもよい。
【実施例５】
【００８１】
図２１は本発明の実施例５における打込み鋲２５、図２２および２３はこの打込み鋲２５を製造するための固定転造平ダイス（本実施例における第一の転造ダイスであり、以下固定ダイスと略記する）１４および移動転造平ダイス（本実施例における第二の転造ダイスであり、以下移動ダイスと略記する）１５を示している。
【００８２】
打込み鋲２５は、軸部２６とこの軸部２６の後端に設けられた頭部２７とを有している。前記軸部２６の外周には本発明のねじ構造が設けられている。前記各実施例では第一の谷溝２の巻き方向と第二の谷溝３の巻き方向とが反対方向であったが、本実施例においては、第一の谷溝２の巻き方向と第二の谷溝３の巻き方向とが同じとされている（両方とも右巻きとされている）。
【００８３】
本実施例においても、第一の谷溝２のピッチと第二の谷溝３のピッチとは同一とされ、第一の谷溝２は２条、第二の谷溝３は１条とされている。また、第一の谷溝２のリード角Ｂ1より第二の谷溝３のリード角Ｂ2の方が小さくされている。
【００８４】
なお、第一および第二の谷溝２，３の巻き方向およびリード角Ｂ1，Ｂ2は、図２２の固定ダイス１４の第一の突条１６の方向およびリード角Ｂ1と図２３の移動ダイス１５の第二の突条１９の方向およびリード角Ｂ2を参照すると、よりよく把握できるであろう。
【００８５】
本実施例においても、第一および第二の谷溝２，３によって囲まれることにより複数の隆起部４が形成されており、これらの隆起部４により第一の谷溝２と同じ右巻きでかつ第一の谷溝２のリード角Ｂ1より小さいリード角Ｂ3で螺旋状に延びる不連続なねじ山が形成されている。
【００８６】
本実施例においても、隆起部４群が構成するねじ山の条数Ｎ1は１となっている。本実施例のように第一の谷溝２の巻き方向と第二の谷溝３の巻き方向が同じ場合、隆起部４群が構成するねじ山のリード角Ｂ3と第一の谷溝２のリード角Ｂ1および第二の谷溝３のリード角Ｂ2との関係は、基本的に、
Ｂ3＝（Ｂ1＋Ｂ2）／２                （２）
の関係となる。
【００８７】
実施例１の場合と同様に、各隆起部４は、第一の立ち上がり面１０、第二の立ち上がり面１１、第三の立ち上がり面１２および第四の立ち上がり面１３を有しており、第一の立ち上がり面１０および第二の立ち上がり面１１は第一の谷溝２の両側面によって構成されている一方、第三の立ち上がり面１２および第四の立ち上がり面１３は第二の谷溝３の両側面によって構成されている。本実施例においても、４つの立ち上がり面１０〜１３はすべて斜面とされている。
【００８８】
また、各隆起部４のうちの第一の立ち上がり面１０と前記第三の立ち上がり面１２との間の部分は前記ねじ山の進行方向に向けて尖った形状をなしている。
【００８９】
さらに、各隆起部４の第一の立ち上がり面１０と第三の立ち上がり面１２との交線部９１の先端点と第二の立ち上がり面１１と第四の立ち上がり面１３との交線部９２の後端点とを結ぶ線分は、基本的に言って、隆起部群４がなす前記ねじ山の螺旋方向に沿って延びている。
【００９０】
この打込み鋲２５においても、複数の隆起部４が不連続なねじ山を構成する上、各隆起部のうちの第一の立ち上がり面１０と前記第三の立ち上がり面１２との間の部分が前記ねじ山の進行方向に向けて尖った形状をなしており、各隆起部４の第一の立ち上がり面１０と第四の立ち上がり面１３との交線部９３および第三の立ち上がり面１２と第二の立ち上がり面１１との交線部９４において相手材８に接触することになるため、相手材に対する接触面積を従来より著しく小さくできる。
【００９１】
さらに、本実施例では、実施例１の場合と同様に１回転につき１．５個（２回転につき３個）の隆起部４が得られるので、相手材に対する接触面積をより大きく減少できる。
【００９２】
したがって、相手材に打ち込むために必要とされる打ち込み力を従来より著しく減少させることができる。
【００９３】
なお、前記各実施例では、第一の谷溝および隆起部群により構成されるねじ山を右巻きとしているが、本発明においては、第一の谷溝および隆起部群により構成されるねじ山を左巻きとしてもよいことは勿論である。
【００９４】
また、前記各実施例は本発明のねじ構造を雄ねじに適用した例であるが、本発明のねじ構造は雌ねじに適用できるものであり、したがってナット等の雌ねじ部品やねじ切りダイス等にも適用できるものである。なお、雌ねじのねじ構造の場合も、雄ねじの場合と同様にして転造加工や切削または研削加工等により製造できる。
【産業上の利用可能性】
【００９５】
以上のように本発明によるねじ構造、ねじ部品、ねじ切りタップ、打込み鋲、ねじ構造の製造方法および転造ダイスは、産業上有用である。
【符号の説明】
【００９６】
２    第一の谷溝
３    第二の谷溝
４    隆起部
５    セルフタッピンねじ
８    相手材
１０    第一の立ち上がり面
１１    第二の立ち上がり面
１２    第三の立ち上がり面
１３    第四の立ち上がり面
１４    固定ダイス（第一の転造ダイス）
１４ａ  固定ダイスのダイス面
１５    移動ダイス（第二の転造ダイス）
１５ａ  移動ダイスのダイス面
１６    第一の突条
１７    第一のダイス溝
１９    第二の突条
２０    第二のダイス溝
２１    素材
２２    第一の切削工具または砥石
２３    第二の切削工具（または砥石）
２４    緩み止め機能付き小ねじ
２５    打込み鋲
９１    第一の立ち上がり面と第三の立ち上がり面との交差部
９２    第二の立ち上がり面と第四の立ち上がり面との交差部
９３    第一の立ち上がり面と第四の立ち上がり面との交差部
９４    第三の立ち上がり面と第二の立ち上がり面との交差部
Ｂ1  第一の谷溝２のリード角
Ｂ2  第二の谷溝３のリード角
Ｂ3  隆起部群により構成されるねじ山のリード角
【図１】
0005894719.tif 000002
【図２】
0005894719.tif 000003
【図３】
0005894719.tif 000004
【図４】
0005894719.tif 000005
【図５】
0005894719.tif 000006
【図６】
0005894719.tif 000007
【図７】
0005894719.tif 000008
【図８】
0005894719.tif 000009
【図９】
0005894719.tif 000010
【図１０】
0005894719.tif 000011
【図１１】
0005894719.tif 000012
【図１２】
0005894719.tif 000013
【図１３】
0005894719.tif 000014
【図１４】
0005894719.tif 000015
【図１５】
0005894719.tif 000016
【図１６】
0005894719.tif 000017
【図１７】
0005894719.tif 000018
【図１８】
0005894719.tif 000019
【図１９】
0005894719.tif 000020
【図２０】
0005894719.tif 000021
【図２１】
0005894719.tif 000022
【図２２】
0005894719.tif 000023
【図２３】
0005894719.tif 000024